(57)【要約】【課題】  処理ユニットを切替ユニットと別体に設けた水処理装置が有する給水管や送水管によって水廻り作業を見下ろす使用者の視界が極力遮られないようにして、水廻り作業の作業性の悪化を極力回避できるようにした水処理装置を提供する。【解決手段】  原水を供給する水栓６に取り付けされて内装した切替弁７により原水を所定の吐水口や水路に切り替える切替ユニット２と、上記切替ユニット２とは別体で原水の水処理を行う処理ユニット３と、切替弁７で切替えられた原水を処理ユニット３に供給するために切替ユニット２と処理ユニット３とを接続した給水管４と、処理ユニット３で処理された処理水を切替ユニット２に送水するために切替ユニット２と処理ユニット３とを接続した送水管５とを有する。これら給水管４及び送水管５を切替ユニット２の側面に上下に隣接した状態で接続する。【選択図】図１
2007175672.tif 000002
【特許請求の範囲】
【請求項１】
原水を供給する水栓に取り付けされて内装した切替弁により原水を所定の吐水口や水路に切り替える切替ユニットと、上記切替ユニットとは別体で原水の水処理を行う処理ユニットと、切替弁で切替えられた原水を処理ユニットに供給するために切替ユニットと処理ユニットとを接続した給水管と、処理ユニットで処理された処理水を切替ユニットに送水するために切替ユニットと処理ユニットとを接続した送水管とを有し、これら給水管及び送水管を切替ユニットの側面に上下に隣接した状態で接続したことを特徴とする水処理装置。
【請求項２】
切替ユニットの切替弁から処理ユニットを経て切替ユニットの底面に設けた処理水吐水口に至る処理水流路を、切欠ユニット内に内装されて入口が切替弁に連通されて出口が給水管に接続される給水路と、切欠ユニット内に内装されて入口が送水管に接続されて出口が処理水吐水口に連通される送水路とを有して構成し、上記送水路を給水路の上側に重ねて配置し、送水路の処理水吐水口の手前部位に切替ユニット内の略上下に亙る直管状の整流部を設けたことを特徴とする請求項１に記載の水処理装置
【請求項３】
切替ユニットの切替弁から処理ユニットを経て切替ユニットの底面に設けた処理水吐水口に至る処理水流路を、切欠ユニット内に内装されて入口が切替弁に連通されて出口が給水管に接続される給水路と、切欠ユニット内に内装されて入口が送水管に接続されて出口が処理水吐水口に連通される送水路とを有して構成し、切替ユニットの側面に給水路の出口と送水路の入口とを形成した台座を設け、台座に台座被着部材を被着し、給水路の出口に接続した給水管の入口部及び送水路の入口に接続した送水管の出口部をそれぞれ台座被着部材に設けた押圧部と台座との間に挟持固定したことを特徴とする請求項１または２に記載の水処理装置。
【請求項４】
送水路と給水路とを一体に形成したことを特徴とする請求項２または３に記載の水処理装置。
【発明の詳細な説明】
【技術分野】
【０００１】
本発明は、水処理装置に関するものである。
【背景技術】
【０００２】
従来から、水処理装置１は、図５のように、原水を供給する水栓６に取り付けされて内装した切替弁７により原水を所定の吐水口や水路に切り替える切替ユニット２と、原水の水処理を行う処理ユニット３を備えて構成されている。なお、図５のものは切替ユニット２と処理ユニット３とが一体に設けられている。ところで、水栓６の下方で行われる手洗いや皿洗い等の水廻り作業は、一般に水栓６が使用者の腰高さ付近にあるから、見下ろすようにして行われるのであり、水栓６に取り付けた水処理装置１によって視界が遮られると水廻り作業の作業性が悪化してしまうものである。特に切替ユニット２と処理ユニット３とが一体に設けられた図５のような水処理装置１は、水廻り作業の作業性が著しく悪化してしまう。
【０００３】
近年では、図６（ａ）のように処理ユニット３を水栓６に取り付けた切替ユニット２とは別体にした水処理装置１もあり、このものは切替ユニット２と処理ユニット３とが一体の水処理装置１（図５）に比べるといくらか水処理装置１で遮る視界を減らすことができて水廻り作業の作業性の悪化の程度を少なくできるが、充分ではない。つまり、処理ユニット３を切替ユニット２と別体に設けた水処理装置１には、切替ユニット２から処理ユニット３へ原水を供給する給水管４や、処理ユニット３から切替ユニット２へ処理水を送る送水管５が有り、これら給水管４や送水管５が水廻り作業の視界を遮って作業性を悪化させてしまう場合がある。たとえば処理ユニット３を切替ユニット２と別体に設けた水処理装置１にあっては図６（ｂ）のような切替ユニット２が採用されているのであるが（たとえば特許文献１参照）、この切替ユニット２ではその側面に略水平に並設した状態で給水管４と送水管５とが接続されており、つまり、水廻り作業を見下ろす使用者の視界を略水平に並設した給水管４と送水管５とが広く遮ってしまうのであり、水廻り作業の作業性を悪化させてしまうのである。
【特許文献１】特開２０００−２８０１９号公報
【発明の開示】
【発明が解決しようとする課題】
【０００４】
本発明は上記の従来の問題点に鑑みて為したものであって、処理ユニットを切替ユニットと別体に設けた水処理装置が有する給水管や送水管によって水廻り作業を見下ろす使用者の視界が極力遮られないようにして、水廻り作業の作業性の悪化を極力回避できるようにした水処理装置を提供することを課題とするものである。
【課題を解決するための手段】
【０００５】
上記課題を解決するために本発明の請求項１に係る水処理装置は、原水を供給する水栓６に取り付けされて内装した切替弁７により原水を所定の吐水口や水路に切り替える切替ユニット２と、上記切替ユニット２とは別体で原水の水処理を行う処理ユニット３と、切替弁７で切替えられた原水を処理ユニット３に供給するために切替ユニット２と処理ユニット３とを接続した給水管４と、処理ユニット３で処理された処理水を切替ユニット２に送水するために切替ユニット２と処理ユニット３とを接続した送水管５とを有し、これら給水管４及び送水管５を切替ユニット２の側面に上下に隣接した状態で接続したことを特徴とする。これによると、水栓６の下方で行われる手洗いや皿洗い等の水廻り作業は、一般に水栓６が使用者の腰高さ付近にあるから、見下ろすようにして行われるのであり、水栓６に取り付けた水処理装置１（切替ユニット２や送水管５及び給水管４の切替ユニット２への接続部位）によって視界が遮られると水廻り作業の作業性が悪化してしまうものであるが、給水管４及び送水管５を切替ユニット２の側面に上下に隣接した状態で接続したので、水廻り作業を見下ろす使用者の視界に給水管４と送水管５とを上下に１つに重ねるようにでき、したがって、水廻り作業を行う使用者の視界は給水管４や送水管５によって極力遮られないようにでき、水廻り作業の作業性の悪化を極力回避することができる。
【０００６】
また、請求項２に係る水処理装置は、請求項１において、切替ユニット２の切替弁７から処理ユニット３を経て切替ユニット２の底面に設けた処理水吐水口１５に至る処理水流路を、切替ユニット２内に内装されて入口８ｂが切替弁７に連通されて出口８ａが給水管４に接続される給水路８と、切替ユニット２内に内装されて入口９ａが送水管５に接続されて出口９ｂが処理水吐水口１５に連通される送水路９とを有して構成し、上記送水路９を給水路８の上側に重ねて配置し、送水路９の処理水吐水口１５の手前部位に切替ユニット２内の略上下に亙る直管状の整流部３５を設けたことを特徴とする。これによると、切替ユニット２内の略上下に亙る直管状の整流部３５によって処理水吐水口１５から吐出する処理水に安定した吐出状態を確保できるのであり、この整流部３５を切替ユニット２内の略上下に亙るように送水路９に形成するには、切替ユニット２内に設けた送水路９を給水路８の上側に重ねて配置することで可能になるのであり、そして送水路９を給水路８の上側に重ねて配置することは切替ユニット２内に無駄なスペースを抑制できるから、切替ユニット２のコンパクト化を図ることができるのであり、水廻り作業を行う使用者の視界が切替ユニット２によって極力遮られないようにもできて水廻り作業の作業性を向上できる。
【０００７】
また、請求項３に係る水処理装置は、請求項１または２において、切替ユニット２の切替弁７から処理ユニット３を経て切替ユニット２の底面に設けた処理水吐水口１５に至る処理水流路を、切替ユニット２内に内装されて入口８ｂが切替弁７に連通されて出口８ａが給水管４に接続される給水路８と、切替ユニット２内に内装されて入口９ａが送水管５に接続されて出口９ｂが処理水吐水口１５に連通される送水路９とを有して構成し、切替ユニット２の側面に給水路８の出口８ａと送水路９の入口９ａとを形成した台座２６を設け、台座２６に台座被着部材２８を被着し、給水路８の出口８ａに接続した給水管４の入口部分及び送水路９の入口９ａに接続した送水管５の出口部分をそれぞれ台座被着部材２８に設けた押圧部３３と台座２６との間に挟持固定したことを特徴とする。これによると、給水管４の給水路８への接続固定と送水管５の送水路９への接続固定とが台座２６への台座被着部材２８の被着作業によって同時に行うことができるのであり、給水管４の給水路８への接続作業及び送水管５の送水路９への接続作業の作業性、ひいては水処理装置１の組立て作業の作業性を向上できる。
【０００８】
また、請求項４に係る水処理装置は、請求項２または３において、送水路９と給水路８とを一体に形成したことを特徴とする。これによると、切替ユニット２に送水路９と給水路８とを内装する組立性が良好になると共に、送水路９及び給水路８の切替ユニット２への固定箇所が別々に必要ではなくなって切替ユニット２のコンパクト化を図ることができる。
【発明の効果】
【０００９】
本発明は、水処理装置が有する給水管や送水管によって水廻り作業を見下ろす使用者の視界が極力遮られないようにしたことで、水廻り作業の作業性の悪化を極力回避できる、といった利点を有する。
【発明を実施するための最良の形態】
【００１０】
以下、本発明を添付図面に示す実施形態に基いて説明する。
【００１１】
本例の水処理装置１は、図２のように、原水を供給する水栓６に取り付けされて内装した切替弁７により原水を所定の吐水口や水路に切り替える切替ユニット２と、上記切替ユニット２とは別体で原水の水処理を行う処理ユニット３と、切替弁７で切替えられた原水を処理ユニット３に供給するために切替ユニット２と処理ユニット３とを接続した給水管４と、処理ユニット３で処理された処理水を切替ユニット２に送水するために切替ユニット２と処理ユニット３とを接続した送水管５とを有して構成されている。そして、本例の水処理装置１では、図２（ｂ）のように原水をそのまま切替ユニット２によりストレート状に吐水する原水ストレートモード（矢印Ａ→Ｂ）、図２（ｃ）のように原水をそのまま切替ユニット２によりシャワー状に吐水する原水シャワーモード（矢印Ａ→Ｃ）、また図２（ａ）のように原水を切替ユニット２により給水管４を介して処理ユニット３に供給し、処理ユニット３で生成した処理水を送水管５を介して切替ユニット２に設けた処理水吐水口１５から吐水する処理水モード（矢印Ａ→Ｄ→Ｅ→Ｆ→Ｇ→Ｈ→Ｉ→Ｊ）を有するものとされている。ここで、便宜上、切替ユニット２の切替弁７から処理ユニット３を経て切替ユニット２の処理水吐水口１５に至る流路を処理水流路と称すると、処理水流路は、切替ユニット２内に内装されて入口８ｂが切替弁７に連通されて出口８ａが給水管４に接続される給水路８と、切替ユニット２内に内装されて入口９ａが送水管５に接続されて出口９ｂが処理水吐水口１５に連通される送水路９と、給水管４と、送水管５とを有して構成されている。なお、本例では給水管４や送水管５は可撓性を有するフレキシブルホースで構成され、これら給水管４や送水管５は各出入口部分（４ａ，５ｂ等）を除いて一体に形成されている。
【００１２】
処理ユニット３は、図２のように、原水を濾過するための濾材が内蔵されたカートリッジ部３ａと、電気分解によって上記原水の水質をアルカリ性または酸性に変える電解槽３ｂとが内蔵され、給水管４を通って供給された原水から処理水を生成できるようにしてある。
【００１３】
切替ユニット２は、図３のように、上下に分割した上ケース１０ａと下ケース１０ｂとを接合してなるケース１０内に切替弁７を形成した内部部材１１を組み込むと共に、切替弁７の弁体２１を操作する操作レバー１２を取り付けて形成されている。切替ユニット２は扁平薄型の外形を有しており、その上面には水栓６が接続する水栓接続口１３が設けられ、底面には原水吐水口１４や処理水吐水口１５が設けられている。本例では原水吐水口１４としてはストレート吐水口１４ａとシャワー吐水口１４ｂとを有している。便宜上、水平面における図４（ａ）中矢印ａを前方とし、矢印ｂを後方とし、矢印ｃを左方とし、矢印ｄを右方として説明すると、切替ユニット２のケース１０の側面のうちの後面には給水管４や送水管５が接続される管接続部１６が設けられており、切替ユニット２のケース１０の側面のうちの左右面及び前面には操作レバー１２が沿うように設けてある。
【００１４】
切替弁７は、図４（ａ）のように、水栓接続口１３から原水が供給される原水供給流路１７や、供給された原水の切替先であるストレート吐水口１４ａに至る原水ストレート用流路１８や、シャワー吐水口１４ｂに至る原水シャワー用流路１９や、処理水流路の給水路８がそれぞれ連通する弁室２０を有し、上記原水の切替先の各流路８，１８，１９の各入口に各流路８，１８，１９を開閉する弁体２１がそれぞれ設けられ、弁室２０内に操作レバー１２に連結された回転軸体２２が略水平に配置され、水平軸廻りに回転する回転軸体２２に連動した各弁体２１が各流路８，１８，１９を開閉するように構成されている。原水の切替先の各流路８，１８，１９は回転軸体２２の軸方向に沿って並設されており、弁体２１はスプリング２１ｂで回転軸体２２側に付勢された棒状の本体２１ａで構成され、回転軸体２２の周囲に設けた押圧突起２２ａによって本体２１ａを軸方向と直交する方向にスプリング２１ｂの付勢に抗って押圧することで、各弁体２１による原水切替先の各流路８，１８，１９の開閉が行われるようにされている。各弁体２１を押圧する各押圧突起２２ａは回転軸体２２の周方向にずらして設けられており、回転軸体２２の回転位置の変化によって原水の切替先の流路８，１８，１９が一つ決定されるようになっている。なお、弁体２１や回転軸体２２には流路を水密的に区分けするＯリング２１ｃ，２２ｃが備えられ、原水の切替先の各流路８，１８，１９間の水漏れを防止している。ここで、弁室２０は、略水平に横倒しされたような遊底筒形状に形成されると共に、筒開口２０ａが水平面内における右方に開口するように配置されており、また、回転軸体２２は、弁室２０の筒開口２０ａを水密的に閉塞するように弁室２０内に配置され且つ弁室２０内で水平軸廻りに回動するように軸支されていて、一端が弁室２０の筒開口２０ａから弁室２０外の右方向に突出されている。この弁室２０から突出された回転軸体２２の一端には、略Ｄ字断面の軸状に形成された接続軸部２２ｂが設けられている。また、操作レバー１２は棒状の把持部１２ａの両端に脚片１２ｂを突設させたコ字形状の部材であり、切替ユニット２の側面における左面や右面に脚片１２ｂを沿わせると共に切替ユニット２の側面における前面に把持部１２ａを沿わせるようにして、切替ユニット２に取り付けられる。詳しくは、操作レバー１２の左右一対の脚片１２ｂにはそれぞれ対向する切替ユニット２の側面（左面、右面）に設けた軸受部２３に回転自在且つ着脱自在に枢支される枢支部２４が設けられており、右側の脚片１２ｂには上記枢支部２４に加えて回転軸体２２の接続軸部２２ｂに連結される断面Ｄ字状の接続用軸受部２５が形成されている。
【００１５】
ところで、切替弁７を形成した内部部材１１には、切替弁７の他に、水栓接続口１３を備えた原水供給流路１７や、原水ストレート用流路１８、原水シャワー用流路１９、処理水流路の給水路８や送水路９が一体に形成されている。詳しくは、原水供給流路１７は切替弁７から上方に向けて形成されている。原水供給流路１７の水栓接続口１３はケース１０の上面に穿設した水栓接続用孔３７から上方に突出して配置されている。また、原水ストレート用流路１８や原水シャワー用流路１９は切替弁７から下方に向けて形成され、ケース１０の底面に設けたストレート吐水口１４ａやシャワー吐水口１４ｂに水密的に連通されている。また、給水路８は、切替弁７の下部の左側から後側へ廻り込み、切替ユニット２の後面に設けた管接続部１６に至るような、略水平に延びると共に平面視略Ｌ字状の配管形状に形成されている。また、送水路９は、給水路８と同様に、略水平に延びると共に平面視略Ｌ字状の配管形状に形成されていて、管接続部１６から後述の整流部３５に至る部位が給水路８の上側に重なるようにして配置されている。つまり、管接続部１６では、図４（ｂ）のように送水管５に接続される送水路９の入口９ａが給水管４に接続される給水路８の出口８ａの上側に隣接して配置されており、図１や図２（ａ）のように給水管４及び送水管５が切替ユニット２の側面のうちの後面に上下に隣接した状態で接続するようにされている。ここで、水栓６の下方で行われる手洗いや皿洗い等の水廻り作業は、一般に水栓６が使用者の腰高さ付近にあるから、見下ろすようにして行われるのであり、水栓６に取り付けた水処理装置１（切替ユニット２や送水管５及び給水管４の切替ユニット２への接続部位）によって視界が遮られると水廻り作業の作業性が悪化してしまうものであるが、上記のように給水管４及び送水管５を切替ユニット２の側面に上下に隣接した状態で接続するようにしたので、水廻り作業を見下ろす使用者の視界に給水管４と送水管５とを上下に１つに重ねるようにでき、したがって、水廻り作業を行う使用者の視界は給水管４や送水管５によって極力遮られないようにできたものであり、水廻り作業の作業性の悪化が極力回避されているのである。
【００１６】
ここで、送水路９の入口９ａへの送水管５の出口５ａの接続や給水路８の出口８ａへの給水管４の入口４ａの接続を行う管接続部１６の構造は、図１や図４（ａ）のように、送水路９の入口９ａや給水路８の出口８ａを設けた台座２６と、給水管４の入口部分や送水管５の出口部分を取付けた介在部材２７と、台座２６に被着する台座被着部材２８とを有し、給水路８の出口８ａに給水管４の入口４ａを接続すると共に送水路９の入口９ａに送水管５の出口５ａを接続した状態で介在部材２７を台座２６の後側に沿わせて配置し、介在部材２７を被せるように台座被着部材２８を台座２６に被着し、台座被着部材２８と台座２６との間で介在部材２７を挟持したことで、給水路８への給水管４の接続固定と送水路９への送水管５の接続固定とを同時に可能にしたものである。詳しくは、台座２６は円盤状に形成されて内部部材１１の後部に後方に向けて突設されており、ケース１０の後面に設けた台座挿通孔３０から後方に突出するように配置されている。この台座２６は外周面に雄ネジ２９が刻設され、後方に面する座面から給水路８の出口８ａや送水路９の入口９ａが後方に突管状に突設されている。なお、突管状の給水路８の出口８ａや送水路９の入口９ａは突出先端側程（後方程）細くなるように各外径面にテーパ３１が施されている。介在部材２７は給水管４の入口部分や送水管５の出口部分をそれぞれ挿通して嵌合する管挿通孔３２が一対隣接して穿設された円盤状部材である。介在部材２７の台座２６への取り付けは図示はしないが両者の対向面間に設けた突部と凹部とを嵌合させることで位置決めを伴って行われるようにされている。台座被着部材２８は後端部に内径を細めるように形成したフランジ状の押圧部３３を有した筒状部材であり、その内周面には台座２６の雄ネジ２９に螺合する雌ネジ３４が刻設されている。台座２６の後側に介在部材２７を配置したときには介在部材２７に取り付けた給水管４の入口４ａや送水管５の出口５ａが突管状の給水路８の出口８ａや送水路９の入口９ａに外嵌されるのであり、台座被着部材２８をその雌ネジ３４を台座２６の雄ネジ２９に後方から螺合して前方に螺進させることで、台座被着部材２８の押圧部３３が介在部材２７を前方に向けて押し込み、台座被着部材２８の押圧部３３と台座２６の座面との間に介在部材２７を挟持させるのであり、このとき上記押し込まれた介在部材２７の管挿通孔３２の内縁がその外径面にテーパ３１が施された突管状の給水路８の出口８ａや送水路９の入口９ａに対して給水管４の入口４ａや送水管５の出口５ａをきつく外嵌させるのであり、給水管４や送水管５が給水路８や送水路９に水密性を備えて接続固定されるようになっている。このように、給水管４の給水路８への接続と送水管５の送水路９への接続とは台座被着部材２８の台座２６への取り付け時に同時に行われるのであって、給水管４の給水路８への接続作業と送水管５の送水路９への接続の作業性、ひいては水処理装置１の組立て作業の作業性が向上されているのである。
【００１７】
また、図１のように、送水路９の出口９ｂは処理水吐水口１５に連通するのであるが、送水路９の処理水吐水口１５の手前部位には処理水吐水口１５から吐出する処理水に安定した吐出状態を確保する整流部３５が設けられている。この整流部３５は、処理水吐水口１５に連通する直管状の部位であり、その管内部には処理水の流れ方向に伸びる突片状の整流板３６が設けられている。本例では整流板３６は図４（ａ）のように送水路９の内周面における周方向に９０度ずつずれた位置にそれぞれ形成されている。ここで、切替ユニット２の底面の処理水吐水口１５から吐出する処理水に安定した吐出状態を確保するには、送水路９の処理水吐水口１５の手前部位に長い整流部３５を必要とするのであるが、本例ではこの整流部３５は切替ユニット２内の略上下に亙るように形成されていて処理水吐水口１５から吐出する処理水に極力安定した吐出状態を可能にする構造にされている。極力長い整流部３５を確保するには、本例では切替ユニット２内に設けた送水路９を給水路８の上側に重ねて配置したことで可能にしているのであり、つまり、送水路９を給水路８の上側に重ねて配置するといったことで切替ユニット２内に無駄なスペース無く送水路９を配置することができるから切替ユニット２のコンパクト化を図ることができたものであり、水廻り作業を行う使用者の視界が切替ユニット２自体によっても極力遮られないような配慮がされており、水廻り作業の作業性の向上が図られているのである。
【図面の簡単な説明】
【００１８】
【図１】本発明の実施の形態の例の水処理装置における切替ユニットの縦断面図である。
【図２】（ａ）は処理水モードを説明する水処理装置の全体斜視図であり、（ｂ）は原水ストレートモードを説明する水処理装置の要部の斜視図であり、（ｃ）は原水シャワーモードを説明する水処理装置の要部の斜視図である。
【図３】同上の切替ユニットの分解斜視図である。
【図４】（ａ）は同上の切替ユニットの水平断面図であり、（ｂ）は（ａ）のＫ−Ｋ線断面図である。
【図５】従来技術の例の水処理装置の斜視図である。
【図６】（ａ）は従来技術の他例の水処理装置の斜視図であり、（ｂ）は（ａ）の切替ユニットの水平断面図である。
【符号の説明】
【００１９】
１  水処理装置
２  切替ユニット
３  処理ユニット
４  給水管
５  送水管
６  水栓
７  切替弁
８  給水路
９  送水路
１５  処理水吐水口
２６  台座
２８  台座被着部材
３５  整流部
【図１】
2007175672.tif 000003
【図２】
2007175672.tif 000004
【図３】
2007175672.tif 000005
【図４】
2007175672.tif 000006
【図５】
2007175672.tif 000007
【図６】
2007175672.tif 000008